(57)【要約】【課題】ＡＴＭスイッチ部における各ＡＴＭスイッチに対して個々にルーティング制御を行う制御部を設けることなく、ＡＴＭスイッチ部における各ＡＴＭスイッチが確実にルーティングを実行させる。【解決手段】スイッチ制御装置１２は、ＡＴＭ交換装置内ＡＴＭセル１３のルートを規定するルーティング情報１４を生成し、ＡＴＭセル１３を入力する初段ＡＴＭスイッチ群３１におけるＡＴＭスイッチ３１１〜３１ｍのみに供給する。ＡＴＭスイッチ３１１〜３１ｍは、各段のＡＴＭスイッチがＡＴＭセルを出力するポートを特定するための情報を含むルート識別子２５をルーティング情報１４にもとづいて作成してＡＴＭセル１３に付随させるルート識別子生成部を有する。各段のスイッチ群３１，３２におけるＡＴＭスイッチは、ＡＴＭセル１３に付随して転送されてくるルート識別子２５にもとづいてルーティングを実行する。【選択図】　図１
2004056596.tif 000002
【特許請求の範囲】
【請求項１】
複数のＡＴＭスイッチを含むＡＴＭスイッチ群が多段構成されたＡＴＭ交換装置において、
初段から最終段までのＡＴＭスイッチ群におけるＡＴＭセルのルートを規定するルーティング情報を生成するスイッチ制御装置を備え、
初段のＡＴＭスイッチ群におけるＡＴＭスイッチのみが、各段のＡＴＭスイッチがＡＴＭセルを出力するポートを特定するための情報を含むルート識別子を前記ルーティング情報にもとづいて作成してＡＴＭセルに付随させるルート識別子生成部を有する
ことを特徴とするＡＴＭ交換装置。
【請求項２】
ルート識別子は、いずれの段のＡＴＭスイッチ群であるのかを示す第１の情報と、そのＡＴＭスイッチ群におけるＡＴＭスイッチのＡＴＭセルを出力するポートを示す第２の情報と、そのＡＴＭスイッチ群が最終段であるか否かを示す第３の情報との組が各段に対応して構成されている
請求項１記載のＡＴＭ交換装置。
【請求項３】
各段のＡＴＭスイッチ群におけるＡＴＭスイッチは、第１の情報にもとづいて、自身が使用する第２の情報および第３の情報を選択する
請求項２記載のＡＴＭ交換装置。
【請求項４】
各段のＡＴＭスイッチ群におけるＡＴＭスイッチは、第３の情報が最終段でないことを示している場合にはルート識別子をＡＴＭセルとともに次段のＡＴＭスイッチに出力し、第３の情報が最終段であることを示している場合にはＡＴＭセルのみを出力する
請求項３記載のＡＴＭ交換装置。
【請求項５】
複数のＡＴＭスイッチを含むＡＴＭスイッチ群が多段構成されたＡＴＭ交換装置内におけるＡＴＭセルをルーティングするセル流制御方法であって、
初段から最終段までのＡＴＭスイッチ群におけるＡＴＭセルのルートを規定するルーティング情報を生成し、
初段のＡＴＭスイッチ群におけるＡＴＭスイッチのみに対して前記ルーティング情報を与えて、各段のＡＴＭスイッチがＡＴＭセルを出力するポートを特定するための情報を含むルート識別子を作成させ、
各段のＡＴＭスイッチ群におけるＡＴＭスイッチに、前記ルート識別子にもとづいてＡＴＭセルをルーティングさせる
ことを特徴とするセル流制御方法。
【請求項６】
ルート識別子は、いずれの段のＡＴＭスイッチ群であるのかを示す第１の情報と、そのＡＴＭスイッチ群におけるＡＴＭスイッチのＡＴＭセルを出力するポートを示す第２の情報と、そのＡＴＭスイッチ群が最終段であるか否かを示す第３の情報との組が各段に対応して構成されている
請求項５記載のセル流制御方法。
【発明の詳細な説明】
【０００１】
【発明の属する技術分野】
本発明は、複数のＡＴＭスイッチが多段接続された構成を有するＡＴＭ交換装置、および複数のＡＴＭスイッチが多段接続された構成を有するＡＴＭ交換装置における各ＡＴＭスイッチの負荷を軽減させるセル流制御方法に関する。
【０００２】
【従来の技術】
ＡＴＭ交換装置において、入出力ポート数を増加させてスループットを向上させるために、４入力４出力や８入力８出力などの小規模のＡＴＭスイッチをマトリクス状に多段接続したＡＴＭスイッチ部が用いられる。
【０００３】
そのようなスイッチ部を有するＡＴＭ交換装置では、ＡＴＭスイッチ間にまたがるコネクションを確立する場合に、１つのコネクションを設定するために複数のＡＴＭスイッチに対して個々にルーティング情報設定を行って中継ポートまたは出力ポートの決定を行う必要がある。従って、ＡＴＭスイッチ部の負荷が大きくなってしまう。
【０００４】
【発明が解決しようとする課題】
複数のＡＴＭスイッチが多段接続されているＡＴＭ交換装置において、スイッチ部の負荷を軽減させるための方法として、例えば、特開平１１−２３４２８１号公報に記載されたセルトラフィック制御方法がある。その公報に記載されたセルトラフィック制御方法では、ＡＴＭスイッチ部の前段に設置されている入側セル処理手段において、ＡＴＭスイッチ部におけるルートを規定するルーティング情報をセルに挿入する。しかし、ルーティング情報のフォーマットは不明であり、ＡＴＭスイッチ部における各ＡＴＭスイッチ（単位スイッチ）がどのようにルーティング情報を活用しているのかも不明である。つまり、ＡＴＭスイッチ部における各単位スイッチが具体的にどのようにしてルーティングを実現できるかについては開示されていない。
【０００５】
そこで、本発明は、ＡＴＭスイッチ部における各ＡＴＭスイッチに対して個々にルーティング制御を行う制御部を設けることなく、ＡＴＭスイッチ部における各ＡＴＭスイッチが確実にルーティングを実行することができるＡＴＭ交換装置およびセル流制御方法を提供することを目的とする。
【０００６】
【課題を解決するための手段】
本発明によるＡＴＭ交換装置は、複数のＡＴＭスイッチを含むＡＴＭスイッチ群が多段構成されたＡＴＭ交換装置であって、初段から最終段までのＡＴＭスイッチ群におけるＡＴＭセルのルートを規定するルーティング情報を生成するスイッチ制御装置を備え、初段のＡＴＭスイッチ群におけるＡＴＭスイッチのみが、各段のＡＴＭスイッチがＡＴＭセルを出力するポートを特定するための情報を含むルート識別子をルーティング情報にもとづいて作成してＡＴＭセルに付随させるルート識別子生成部を有することを特徴とする。
【０００７】
ルート識別子が、いずれの段のＡＴＭスイッチ群であるのかを示す第１の情報と、そのＡＴＭスイッチ群におけるＡＴＭスイッチのＡＴＭセルを出力するポートを示す第２の情報と、そのＡＴＭスイッチ群が最終段であるか否かを示す第３の情報との組が各段に対応して構成されていてもよい。そのような構成によれば、各段のＡＴＭスイッチ群におけるＡＴＭスイッチは、ＡＴＭセルを出力するポートだけでなく、最終段であるか否かもルート識別子にもとづいて容易に認識することができる。
【０００８】
各段のＡＴＭスイッチ群におけるＡＴＭスイッチは、例えば、第１の情報にもとづいて、自身が使用する第２の情報および第３の情報を選択する。
【０００９】
各段のＡＴＭスイッチ群におけるＡＴＭスイッチは、第３の情報が最終段でないことを示している場合にはルート識別子をＡＴＭセルとともに次段のＡＴＭスイッチに出力し、第３の情報が最終段であることを示している場合にはＡＴＭセルのみを出力するように構成されていてもよい。そのような構成によれば、余分な情報をＡＴＭ交換装置外に出力しない制御を容易に実現することができる。
【００１０】
また、本発明によるセル流制御方法は、複数のＡＴＭスイッチを含むＡＴＭスイッチ群が多段構成されたＡＴＭ交換装置内におけるＡＴＭセルをルーティングするセル流制御方法であって、初段から最終段までのＡＴＭスイッチ群におけるＡＴＭセルのルートを規定するルーティング情報を生成し、初段のＡＴＭスイッチ群におけるＡＴＭスイッチのみに対してルーティング情報を与えて、各段のＡＴＭスイッチがＡＴＭセルを出力するポートを特定するための情報を含むルート識別子を作成させ、各段のＡＴＭスイッチ群におけるＡＴＭスイッチにルート識別子にもとづいてＡＴＭセルをルーティングさせることを特徴とする。
【００１１】
【発明の実施の形態】
実施の形態１．
以下、本発明の実施の形態を図面を参照して説明する。図１は、本発明によるＡＴＭ交換装置の一構成例を示すブロック図である。図１に例示したＡＴＭ交換装置は、それぞれがＡＴＭ交換装置外からのセルを入力するための複数の入力ポートおよび次段の各ＡＴＭスイッチにセルを出力するための複数の出力ポート（中継ポート）を有する複数のＡＴＭスイッチ３１１〜３１ｍが設けられている初段ＡＴＭスイッチ群３１と、ＡＴＭスイッチ３１１〜３１ｍからのセルを入力するための複数の入力ポートおよびＡＴＭ交換装置外にセルを出力するための複数の出力ポートを有する複数のＡＴＭスイッチ３２１〜３２ｍが設けられている次段ＡＴＭスイッチ群３２とを含む構成である。なお、最終段（この例では次段）のＡＴＭスイッチの出側のポートを出力ポートと呼び、最終段以外のＡＴＭスイッチの出側のポートを中継ポートと呼ぶことにするが、以下、中継ポートと出力ポートとを中継ポートと総称することがある。
【００１２】
また、初段ＡＴＭスイッチ群３１の各ＡＴＭスイッチ３１１〜３１ｍは、次段の全てのＡＴＭスイッチ３２１〜３２ｍにＡＴＭセル１３を転送可能であるとする。以下、初段ＡＴＭスイッチ群３１と次段ＡＴＭスイッチ群３２とを合わせてＡＴＭスイッチ部と呼ぶ。
【００１３】
ＡＴＭ交換装置には、さらに、ＡＴＭ交換装置に入力されるＡＴＭセル１３（入力セル）のヘッダ情報およびＡＴＭスイッチ部の輻輳情報等にもとづいて、ＡＴＭスイッチ部におけるＡＴＭセル１３のルートを決定し、決定結果に応じて初段から最終段までのＡＴＭスイッチ群におけるＡＴＭセル１３のルートを規定するルーティング情報１４を生成するスイッチ制御装置１２が設けられている。
【００１４】
ルーティング情報１４は、具体的には、初段ＡＴＭスイッチ群３１のＡＴＭスイッチがルーティング情報１４にもとづいて図２に例示するようなルート識別子２５を作成できるような情報を含む。従って、ルーティング情報１４は、ルート識別子２５と同じ形式で構成されていてもよい。
【００１５】
図２に示す例において、スイッチ番号は、どの段のスイッチ群に関する情報であるのかを示す情報である。ここでは、「０」は初段スイッチ群３１を示し、「１」は次段スイッチ群３２を示す。中継ポート番号は、各ＡＴＭスイッチにおいて入力されたセルを出力する中継ポートの番号を示す。また、最終段フラグは、最終段のスイッチ群であるか否かを示す情報であり、「０」は最終段でないことを示し、「１」は最終段であることを示す。最終段であることを示す最終段フラグを取り扱うＡＴＭスイッチは、ルート識別子２５を廃棄し、ルート識別子２５を除くＡＴＭセル１３を出力ポートに出力する。また、最終段でないことを示す最終段フラグを取り扱うＡＴＭスイッチは、ルート識別子２５を含むＡＴＭセル１３を中継ポートに出力する。
【００１６】
このように、この実施の形態では、各段について、スイッチ番号（いずれの段のＡＴＭスイッチ群であるのかを示す第１の情報）／中継ポート番号（そのＡＴＭスイッチ群におけるＡＴＭスイッチのＡＴＭセル１３を出力するポートを示す第２の情報）／最終段フラグ（そのＡＴＭスイッチ群が最終段であるか否かを示す第３の情報）を含む情報によって、ルート識別子２５が形成されている。以下、スイッチ番号／中継ポート番号／最終段フラグを含む情報を、スイッチ番号／中継ポート番号／最終段フラグのセット（組）と呼ぶことがある。
【００１７】
次に、図１、図２、図３のブロック図および図４のフローチャートを参照して動作について説明する。ＡＴＭ交換装置にＡＴＭセル１３が入力されると、ＡＴＭ交換装置に内蔵されているソフトウェア（図示せず）は、例えば、ＡＴＭセル１３内の発信元情報／着信先情報およびＡＴＭスイッチ部における各段のＡＴＭスイッチの使用状況に応じて、ＡＴＭ交換装置内でのＡＴＭセル１３のルートを選定し、選定結果の情報をスイッチ制御装置１２に出力する。スイッチ制御装置１２は、入力された情報にもとづいてルーティング情報１４を作成する。
【００１８】
ＡＴＭ交換装置に内蔵されているソフトウェアは、例えば、発信元情報／着信先情報にもとづいて、次段ＡＴＭスイッチ群（この例では最終段ＡＴＭスイッチ群に相当）３２におけるどのＡＴＭスイッチのどの出力ポートが使用可能であるのかを決める。そして、使用可能なＡＴＭスイッチが複数あれば、例えばトラフィックが最も小さいものを、そのコネクションにおいて、次段ＡＴＭスイッチ群３２におけるＡＴＭスイッチと決定する。また、ＡＴＭセル１３が入力された初段ＡＴＭスイッチ群３１におけるＡＴＭスイッチの中継ポートのうち、決定された次段ＡＴＭスイッチ群３２におけるＡＴＭスイッチに至る中継ポートが決まる。
【００１９】
スイッチ制御装置１２は、そのようにして選定された初段ＡＴＭスイッチ群３１におけるＡＴＭスイッチの中継ポートを示す情報と、次段ＡＴＭスイッチ群３２におけるＡＴＭスイッチおよび出力ポートを示す情報とにもとづいてルーティング情報１４の内容を決定し、ルーティング情報１４を、ＡＴＭセル１３が入力される初段ＡＴＭスイッチ群３１におけるＡＴＭスイッチに出力する（ステップＳ１）。図３に示す例では、ルーティング情報１４は、初段ＡＴＭスイッチ群３１におけるＡＴＭスイッチ３１１に出力されている。
【００２０】
初段ＡＴＭスイッチ群３１における各ＡＴＭスイッチ３１１〜３１ｍには、ＡＴＭセル１３のスイッチングを行うスイッチ部２６の前段に、ルーティング情報１４にもとづいてルート識別子２５を作成するルート識別子生成部２４が設けられている。ルート識別子生成部２４は、ルーティング情報１４にもとづいて図２に例示するようなルート識別子２５を作成し（ステップＳ２）、ＡＴＭセル１３に付加する。そして、ルート識別子２５とＡＴＭセル１３とをスイッチ部２６に転送する（ステップＳ３）。
【００２１】
また、次段ＡＴＭスイッチ群３２における各ＡＴＭスイッチ３２１〜３２ｍには、ＡＴＭセル１３のスイッチングを行うスイッチ部２７は存在するが、ルート識別子生成部２４に相当するものは存在しない。
【００２２】
スイッチ部２６，２７は、ルート識別子２５の内容に従ってＡＴＭセル１３のスイッチングを行う。すなわち、ルート識別子２５の内容において、自群に割り当てられているスイッチ番号（初段＝０、次段＝１）に対応して設定されている中継ポート番号に従ってスイッチングを行い（ステップＳ４）、最終段フラグが「０」であれば、ＡＴＭセル１３とともにルート識別子２５も中継ポートから出力する（ステップＳ５，Ｓ６）。また、最終段フラグが「１」であれば、ルート識別子２５を除きＡＴＭセル１３のみを出力ポートから出力する（ステップＳ５，Ｓ７）。
【００２３】
なお、図２および図３に示された例では、ＡＴＭ交換装置に内蔵されているソフトウェアおよびスイッチ制御装置１２は、ＡＴＭセル１３のルートとして、次段ＡＴＭスイッチ群３２のＡＴＭスイッチ３２１の出力ポート２と、ＡＴＭスイッチ３２１の入力ポートに至るＡＴＭスイッチ３１１の中継ポート０とを決定したことになる。
【００２４】
図２に例示されたルート識別子２５が作成された場合には、初段ＡＴＭスイッチ群３１におけるＡＴＭスイッチ３１１のスイッチ部２６は、ルート識別子２５から自群に割り当てられているスイッチ番号および最終段フラグを検索する。そして、自群に割り当てられているスイッチ番号（この場合は０）とセットになっている中継ポート番号が示す出力ポート（この場合は出力ポート０）にＡＴＭセル１３を出力することに決定する。また、この場合には、セットになっている最終段フラグが０であるから、ルート識別子２５も出力ポート０に出力する。そして、この例では、ＡＴＭスイッチ３１１のポート０から出力されたルート識別子２５とＡＴＭセル１３とは、次段ＡＴＭスイッチ群３２において、ＡＴＭスイッチ３２１に入力される。
【００２５】
次段ＡＴＭスイッチ群３２において、ＡＴＭスイッチ３２１のスイッチ部２７は、ルート識別子２５から自群に割り当てられているスイッチ番号および最終段フラグを検索する。そして、自群に割り当てられているスイッチ番号（この場合は１）とセットになっている中継ポート番号が示す出力ポート（この場合は出力ポート２）にＡＴＭセル１３を出力することに決定する。また、この場合には、セットになっている最終段フラグが１であるから、ルート識別子２５を出力ポート２に出力しない。従って、ＡＴＭセル１３のみが、ＡＴＭ交換装置から出力される。
【００２６】
以上のように、この実施の形態では、初段ＡＴＭスイッチ群３１におけるＡＴＭスイッチに対してのみ、初段ＡＴＭスイッチ群３１および次段ＡＴＭスイッチ群３２のコネクションに対応したルート識別子２５を生成するためのルーティング情報設定が行われる。そして、初段ＡＴＭスイッチ群３１におけるＡＴＭスイッチは、ルート識別子２５が付随したＡＴＭセル１３を次段に出力する。次段ＡＴＭスイッチ群３２におけるＡＴＭスイッチは、ＡＴＭセル１３に付随するルート識別子２５の内容にもとづいてＡＴＭセル１３のルーティングを行うので、次段ＡＴＭスイッチ群３２におけるＡＴＭスイッチに対してルーティング情報設定を行う必要はない。
【００２７】
実施の形態２．
実施の形態１では初段と最終段のＡＴＭスイッチ群のみを含むＡＴＭ交換装置を例示したが、初段と最終段との間に１または複数の段のＡＴＭスイッチ群を含むＡＴＭ交換装置にも本発明を適用できる。図５は、初段と最終段との間に複数の段のＡＴＭスイッチ群を含むＡＴＭ交換装置の構成例を示すブロック図である。
【００２８】
図５に例示したＡＴＭ交換装置は、それぞれがＡＴＭ交換装置外からのセルを入力するための複数の入力ポートおよび次段の各ＡＴＭスイッチにセルを出力するための複数の中継ポートを有する複数のＡＴＭスイッチ３１１〜３１ｍが設けられている初段ＡＴＭスイッチ群３１と、ＡＴＭスイッチ３１１〜３１ｍからのセルを入力するための複数の入力ポートおよび次段の各ＡＴＭスイッチにセルを出力するための複数の中継ポートを有する複数のＡＴＭスイッチ３２１〜３２ｍが設けられている次段ＡＴＭスイッチ群３２と、前段のＡＴＭスイッチからのセルを入力するための複数の入力ポートおよびＡＴＭ交換装置外にセルを出力するための複数の出力ポートを有する複数のＡＴＭスイッチ３ｎ１〜３ｎｍが設けられている最終段ＡＴＭスイッチ群３ｎとを含む構成である。なお、図５では、次段ＡＴＭスイッチ群３２と最終段ＡＴＭスイッチ群３ｎとの間にあるＡＴＭスイッチ群の記載は省略されている。
【００２９】
この実施の形態でも、ＡＴＭ交換装置には、さらに、ＡＴＭ交換装置に入力されるＡＴＭセル１３（入力セル）のヘッダ情報およびＡＴＭスイッチ部の輻輳情報等にもとづいて、ＡＴＭスイッチ部におけるＡＴＭセル１３のルートを選定するソフトウェアと、選定結果に応じてルーティング情報４３を生成するスイッチ制御装置１２が設けられている。
【００３０】
ルーティング情報４３は、具体的には、初段ＡＴＭスイッチ群３１のＡＴＭスイッチがルーティング情報４３にもとづいて図６に例示するようなルート識別子４４を作成できるような情報を含む。従って、ルーティング情報４３は、ルート識別子４４と同じ形式で構成されていてもよい。
【００３１】
図６に示す例において、スイッチ番号の「０」は初段スイッチ群３１を示し、「１」は次段スイッチ群３２を示す。そして、「ｎ−１」が最終段ＡＴＭスイッチ群３ｎを示す。中継ポート番号および最終段フラグの定義は、実施の形態１の場合と同じである。なお、図６では記載省略されているが、最終段スイッチ群に対応した最終段フラグのみが「１」に設定されている。
【００３２】
実施の形態１と同様に、初段ＡＴＭスイッチ群３１における各ＡＴＭスイッチ３１１〜３１ｍには、ＡＴＭセル１３のスイッチングを行うスイッチ部２６の前段に、ルーティング情報４３にもとづいてルート識別子４４を作成するルート識別子生成部（図示せず）が設けられている。また、実施の形態１と同様に、ルート識別子生成部は、ルーティング情報４３にもとづいて図６に例示するようなルート識別子４４を作成しＡＴＭセル１３に付随させる。そして、ルート識別子４４とＡＴＭセル１３とをスイッチ部（図示せず）に転送する。
【００３３】
実施の形態１と同様に、次段以降のＡＴＭスイッチにおける各ＡＴＭスイッチには、ＡＴＭセル１３のスイッチングを行うスイッチ部は存在するが、ルート識別子生成部に相当するものは存在しない。
【００３４】
このような構成において、図６に例示されたルート識別子４４が作成された場合には、初段ＡＴＭスイッチ群３１におけるＡＴＭスイッチのスイッチ部は、ルート識別子４４から自群に割り当てられているスイッチ番号および最終段フラグを検索する。そして、自群に割り当てられているスイッチ番号（この場合は０）とセットになっている中継ポート番号が示す出力ポート（この場合は出力ポート０）にＡＴＭセル１３を出力することに決定する。また、この場合には、セットになっている最終段フラグが０であるから、ルート識別子４４も出力ポート０に出力する。また、次段ＡＴＭスイッチ群３２におけるＡＴＭスイッチのスイッチ部も、ルート識別子４４から自群に割り当てられているスイッチ番号および最終段フラグを検索する。そして、自群に割り当てられているスイッチ番号（この場合は１）とセットになっている中継ポート番号が示す出力ポート（この場合は出力ポート２）にＡＴＭセル１３を出力することに決定する。また、この場合には、セットになっている最終段フラグが０であるから、ルート識別子４４も出力ポート２に出力する。
【００３５】
最終段ＡＴＭスイッチ群３ｎにおいても、ＡＴＭスイッチのスイッチ部は、ルート識別子４４から自群に割り当てられているスイッチ番号および最終段フラグを検索する。そして、自群に割り当てられているスイッチ番号とセットになっている中継ポート番号が示す出力ポートにＡＴＭセル１３を出力することに決定する。また、この場合には、セットになっている最終段フラグが１になっているはずであるから、ルート識別子４４を出力ポートに出力しない。従って、ＡＴＭセル１３のみが、ＡＴＭ交換装置から出力される。
【００３６】
以上のように、この実施の形態では、初段ＡＴＭスイッチ群３１におけるＡＴＭスイッチに対してのみ、初段ＡＴＭスイッチ群３１から最終段ＡＴＭスイッチ群３ｎのコネクションに対応したルート識別子４４を生成するためのルーティング情報設定が行われる。そして、最終段ＡＴＭスイッチ群３ｎを除く各段のＡＴＭスイッチ群におけるＡＴＭスイッチは、ルート識別子４４が付随したＡＴＭセル１３を次段に出力する。そして、各段のＡＴＭスイッチ群におけるＡＴＭスイッチは、ＡＴＭセル１３に付随するルート識別子４４の内容にもとづいてＡＴＭセル１３のルーティングを行うので、初段ＡＴＭスイッチ群３１以外のＡＴＭスイッチ群におけるＡＴＭスイッチに対してルーティング情報設定を行う必要はない。
【００３７】
なお、上記の各実施の形態では、ルート識別子２５，４４は、各段についてのスイッチ番号／中継ポート番号／最終段フラグのセットで構成されていたが、そのような構成は必須の構成ではなく、ルーティング方法の違い等に応じ、ルート識別子２５，４４の構造とは異なる構造のルート識別子を使用してもよい。
【００３８】
また、上記の各実施の形態では、ルート識別子２５，４４は、ＡＴＭセル１３外に設定されたが、ＡＴＭセル１３のヘッダ内またはヘッダ外に設定することが可能であればそのようにしてもよい。従って、初段ＡＴＭスイッチ群３１のＡＴＭスイッチは、ルート識別子２５，４４をルーティング情報１４，４３にもとづいて作成してＡＴＭセル１３に付随させるルート識別子生成部を備えているのであるが、ルート識別子をＡＴＭセル１３に付随させるとは、ＡＴＭセル１３とは別の情報であるルート識別子を生成する場合に他に、ＡＴＭセル１３のヘッダ内またはヘッダ外にルート識別子を設定することも含む概念である。
【００３９】
【発明の効果】
以上のように、本発明によれば、ＡＴＭ交換装置およびセル流制御方法を、初段から最終段までのＡＴＭスイッチ群におけるＡＴＭセルのルートを規定するルーティング情報を生成し、初段のＡＴＭスイッチ群におけるＡＴＭスイッチのみに対してルーティング情報を与えて、各段のＡＴＭスイッチがＡＴＭセルを出力するポートを特定するための情報を含むルート識別子を作成させるように構成したので、ＡＴＭスイッチ部における各ＡＴＭスイッチに対して個々にルーティング制御を行う制御部を設けることなく、ＡＴＭスイッチ部における各ＡＴＭスイッチが確実にルーティングを実行することができる。換言すれば、ＡＴＭ交換装置内におけるルーティング情報設定の負荷を低減することができる。
【図面の簡単な説明】
【図１】本発明によるＡＴＭ交換装置の一構成例を示すブロック図である。
【図２】ルート識別子の一例を示す説明図である。
【図３】ＡＴＭスイッチの構成を示すブロック図である。
【図４】ＡＴＭスイッチの動作を示すフローチャートである。
【図５】本発明によるＡＴＭ交換装置の他の構成例を示すブロック図である。
【図６】ルート識別子の他の例を示す説明図である。
【符号の説明】
１２　　スイッチ制御装置
１３　　ＡＴＭセル
１４，４３　ルーティング情報
２４　　ルート識別子生成部
２５，４４　ルート識別子
３１　　初段スイッチ群
３２　　次段スイッチ群
３ｎ　　最終段スイッチ群
３１１〜３１ｍ　ＡＴＭスイッチ
３２１〜３２ｍ　ＡＴＭスイッチ
３ｎ１〜３ｎｍ　ＡＴＭスイッチ
【図１】
2004056596.tif 000003
【図２】
2004056596.tif 000004
【図３】
2004056596.tif 000005
【図４】
2004056596.tif 000006
【図５】
2004056596.tif 000007
【図６】
2004056596.tif 000008